(57)【要約】      （修正有）【課題】片手操作でトイレットペーパーを所望の長さに切り取ることができ、切り取った後、トイレットペーパーがカバー部の表面側に保持されるトイレットペーパーホルダーを提供する。【解決手段】トイレットペーパー４０の円周面に被せるカバー部１２に、ペーパー先端部４０ａをカバー部の表面側へ引き出す引き出し部１４と、引き出されたトイレットペーパーを切り取るカッター部１５と、引き出し部とカッター部の間に配置されたガイド部を備え、ガイド部は、切り取りが行われたとき、反動によって引き戻されるペーパー先端部４０ａが十分な長さを有してカバー部１２の表面側に保持されるように、トイレットペーパー接触面に滑り止め部を有する。【選択図】図１
0003226428.tif 000002
【実用新案登録請求の範囲】
【請求項１】
本体と、
前記本体の一の側方にのみ設けられ、ロール状トイレットペーパーを回転自在に支持する支持部と、
前記支持部に支持された前記ロール状トイレットペーパーの円周面に被せるカバー部と、を備え、
前記支持部は、前記本体の他の側方へ向かって延設されて前記ロール状トイレットペーパーの芯孔に挿通させる芯支持部を有し、該芯支持部の一端が前記支持部に固定され、他端が自由端であり、
前記カバー部は、
前記本体の他の側方側に、前記ロール状トイレットペーパーの先端部を挿通させるため  の切欠き部を有し、前記ロール状トイレットペーパーの先端部を該カバー部の表面側へ引  き出す引き出し部と、
前記カバー部の先端縁部分に設けられ、前記引き出し部から引き出されたトイレットペ  ーパーを切り取るカッター部と、
前記引き出し部と前記カッター部との間に配置されたガイド部と、
前記カバー部の先端部に形成され、前記支持部に支持されている前記ロール状トイレッ  トペーパーに被せたとき、前記芯支持部の先端側、かつ前記本体の他の側方側に配置され  、前記ロール状トイレットペーパーの一のロール端部に当接する側方カバー部と、
前記切欠き部よりも前方かつ前記カバー部の先端側に設けられ、前記引き出されたトイ  レットペーパーを前記カッター部によって切り取るとき、前記ロール状トイレットペーパ  ーが回転しないように該ロール状トイレットペーパーの円周面に当接する回転止め部と、  を有し、
前記引き出し部から前記カバー部の後端部までの面積よりも、前記引き出し部から前記  カバー部の前端部までの面積が大きくなるように形成され、
前記ガイド部は、前記カッター部によって前記引き出されたトイレットペーパーの切り取りが行われたとき、該切り取りの反動によって前記引き出し部へ引き戻される前記ロール状トイレットペーパーの先端部が十分な長さを有して前記カバー部の表側に保持されるように形成され、
前記側方カバー部は、前記ロール状トイレットペーパーが挿通されていない状態で、前記芯支持部の先端と対向する、
ことを特徴とするトイレットペーパーホルダー。
【請求項２】
前記カバー部は、前記ロール状トイレットペーパーの先端部と接すると適度な抵抗を生じて、該ロール状トイレットペーパーの先端部を前記カバー部の表側に保持する滑り止め部を前記ガイド部の略全体に備えた、
ことを特徴とする請求項１に記載のトイレットペーパーホルダー。
【考案の詳細な説明】
【技術分野】
【０００１】
本開示は、ロール状のトイレットペーパーを所望の長さで切り取る操作を、片手で容易に行うことができるトイレットペーパーホルダーに関するものである。
【背景技術】
【０００２】
一般的なトイレットペーパーホルダーは、ロール状のトイレットペーパーを横に、即ちロール中心の孔部を水平方向に延びるように保持し、当該トイレットペーパーが垂直方向に回転するように構成されている。
また、上記のトイレットペーパーホルダーは、トイレットペーパーを上側から覆うカバー部等を用いて、引き出されたトイレットペーパーを切り取ることができるように構成されている。
トイレットペーパーを所望の長さに切り取る場合には、上記のように保持されているトイレットペーパーが回転しないように、例えば、上記のカバー部等をトイレットペーパーに押し当てながら裁断する必要がある。
【０００３】
カバー部に設けた開口部からトイレットペーパーを引き出し、カッター等に当接させて切り取ることができるように構成したトイレットペーパーホルダーがある（例えば、特許文献１参照）。
このトイレットペーパーホルダーは、トイレットペーパーのロール表面に被せるカバー部を有し、このカバー部の前端部に裁断用の上縁歯（カッター）を設けている。カバー部は、当該上縁歯の上側近傍の位置に、トイレットペーパーの先端部分を引き出す切り込み開口部が設けられている。
このトイレットペーパーホルダーは、切り込み開口部から引き出されたペーパーをカバー部の上面に沿わせて下方に引っ張ると、引き出されたペーパーが上縁歯に当接して、所望の長さに切り取られるように構成されている。
【先行技術文献】
【特許文献】
【０００４】
【特許文献１】特開２００５−３２１８７４号公報
【考案の概要】
【考案が解決しようとする課題】
【０００５】
従来のトイレットペーパーホルダーは、上記のように上縁歯の近傍に開口部を設けているので、開口部から引き出したペーパーを下方へ引っ張り、上縁歯に当接させて切り取ると、トイレットペーパーが引き出されたときの逆方向に回転する。
即ち、ホルダーに保持されていたトイレットペーパーに作用していた引っ張り力が急峻に消滅し、引っ張り力に対する反力によって（切り取りの反動によって）、開口部から引き出されていた部分がロール状のトイレットペーパー側に引き戻されてしまう。
この引き戻しによって開口部から引き出されている部分がなくなる場合があり、カバー部を持ち上げてトイレットペーパーの先端部を開口部から引き出す操作が度々必要になる。
【０００６】
本開示は、上記の課題に鑑みなされたもので、片手操作でトイレットペーパーを所望の長さに切り取ることができ、切り取った後、トイレットペーパーがカバー部の表面側に保持されるトイレットペーパーホルダーを提供する。
【課題を解決するための手段】
【０００７】
本開示に係るトイレットペーパーホルダーは、本体と、前記本体の側方部分に設けられ、ロール状トイレットペーパーを回転自在に支持する支持部と、前記支持部に支持された前記ロール状トイレットペーパーの円周面に被せるカバー部と、を備え、前記カバー部は、前記ロール状トイレットペーパーの先端部を該カバー部の表面側へ引き出す引き出し部と、前記引き出し部から引き出されたトイレットペーパーを切り取るカッター部と、前記引き出し部と前記カッター部との間に配置されたガイド部と、を有し、前記ガイド部は、前記カッター部によって前記引き出されたトイレットペーパーの切り取りが行われたとき、該切り取りの反動によって前記引き出し部へ引き戻される前記ロール状トイレットペーパーの先端部が十分な長さを有して前記カバー部の表側に保持されるように形成されている、ことを特徴とする。
【０００８】
また、前記支持部は、前記本体の一の側方に配置され、前記本体の他の側方へ向かって延設されて前記ロール状トイレットペーパーの芯孔に挿通させる芯支持部を有し、前記カバー部は、前記支持部に支持されている前記ロール状トイレットペーパーに被せたとき、前記芯支持部の先端側に配置されて、前記ロール状トイレットペーパーの一のロール端部に当接する側方カバー部を有する、ことを特徴とする。
【０００９】
また、前記カバー部は、前記ロール状トイレットペーパーの先端部と接すると適度な抵抗を生じて、該ロール状トイレットペーパーの先端部を前記カバー部の表側に保持する滑り止め部を前記引き出し部と前記カッター部との間に備えた、ことを特徴とする。
【００１０】
また、前記カバー部は、前記引き出されたトイレットペーパーを前記カッター部によって切り取るとき、前記ロール状トイレットペーパーが回転しないように該ロール状トイレットペーパーの円周面に当接する回転止め部を有する、ことを特徴とする。
【考案の効果】
【００１１】
本開示によれば、トイレットペーパーを所望の長さに切り取る際に反動によって引き戻されるトイレットペーパーの先端部を、直ちに引き出せる位置に保持することができる。
【図面の簡単な説明】
【００１２】
【図１】本開示の実施例１によるトイレットペーパーホルダーの構成を示す斜視図である。
【図２】図１のトイレットペーパーホルダーに備えるカバー部の構成を示す説明図である。
【図３】図１のトイレットペーパーホルダーの構成を示す正面図である。
【図４】本開示の実施例２によるトイレットペーパーホルダーのカバー部の構成を示す斜視図である。
【考案を実施するための形態】
【００１３】
以下、この考案の実施の一形態を説明する。
（実施例１）
図１は、本開示の実施例１によるホルダー１の構成を示す斜視図である。図示したホルダー１は、例えば、屋内の壁面にタップねじ等を用いて固定する本体１０、本体１０のいずれか一方の側方に形成され、ロール状のトイレットペーパー４０を支持する支持部１１を備えている。
ホルダー１は、支持部１１に支持されたロール状のトイレットペーパー４０の円周面に被せるカバー部１２を備えている。また、ホルダー１は、ロール状のトイレットペーパー４０の芯孔に挿通させる芯支持部１３を備えている。芯支持部１３は、基端側を支持部１１に固定して備えられ、または、支持部１１に一体形成されている。
カバー部１２は、支持部１１に支持されたロール状のトイレットペーパー４０のロール円周面に概ね沿った湾曲状の部分を有し、図中、本体１０の上側部分に支持固定されている。
カバー部１２の基端側は、回転自在となるように本体１０に支持固定されている。換言すると、カバー部１２は、上下方向に先端側が揺動するように、本体１０に支持固定されている。
【００１４】
図２は、ホルダー１に備えるカバー部１２の構成を示す説明図である。図２（ａ）は、カバー部１２を上方視した場合の形状等を示し、図２（ｂ）は、カバー部１２を側方視した場合の形状等を示している。
図３は、図１のホルダー１の構成を示す正面図である。なお、図３に示したホルダー１は、ロール状のトイレットペーパー４０を保持していない状態である。
カバー部１２は、先端側にカッター部１５および回転止め部１６を備えている。カバー部１２の基端側には、例えば、幅方向の両側方の部分において、ヒンジ機構等を構成して、または、リベットやビスなどを用いて、回転自在に本体１０と連結する基端部１７を備えている。
【００１５】
カバー側方部１２ａ，１２ｂは、それぞれカバー部１２の側端部である。
ホルダー１は、本体１０の前方へ突出した支持部１１を、例えばカバー側方部１２ａの下方（本体１０の一の側方）に備えている。
支持部１１は、芯支持部１３を介してロール状のトイレットペーパー４０が回転し、ホルダー１の前方等にペーパー先端部４０ａを引き出すことができるように、ロール状のトイレットペーパー４０を片持ち支持するように構成されている。
芯支持部１３は、カバー側方部１２ｂの下方（本体１０の他の側方）へ向かって延設され、例えば、丸棒状または円筒状に形成されている。
芯支持部１３は、ロール状のトイレットペーパー４０の芯孔に挿通した場合に、当該ロール状のトイレットペーパー４０を安定状態で支持する（ロール状のトイレットペーパー４０が滑らかに回転するように支持する）長さを有している。
【００１６】
カッター部１５は、カバー部１２の先端縁部分に備えられ、ペーパーを切り取る刃部分（例えば、ノコギリ刃形状の部分）を、カバー部１２の表面から上方に向けている。また、カッター部１５は、カバー部１２の先端縁部分に沿って、例えばトイレットペーパー４０のペーパー幅よりも広く（長く）設けられている。
回転止め部１６は、カバー部１２の先端側において、当該カバー部１２の裏面から突出し、支持部１１等に支持されたトイレットペーパー４０の円周面に当接するように形成されている。ここで例示した回転止め部１６は、カバー部１２の裏面において、当該カバー部１２の幅方向に延設された凸状部位である。
【００１７】
カバー部１２は、例えば、ロール状のトイレットペーパー４０の芯孔の直上、もしくは芯孔直上の近傍となる位置に、ロール状のトイレットペーパー４０のペーパー先端部４０ａをカバー部１２の表面側へ引き出す引き出し部１４を備えている。
引き出し部１４は、カバー部１２の表裏面を貫通した開口部であり、カバー部１２の幅方向に延設されている。また、引き出し部１４は、例えばカバー側方部１２ｂにおいて、切欠き部１４ｂを有している。
換言すると、引き出し部１４は、カバー側方部１２ｂからカバー側方部１２ａに向かって延設された開口部であり、カバー側方部１２ｂの縁辺部分で大きく（広く）開口した切欠き部１４ｂを有している。
【００１８】
切欠き部１４ｂは、ロール状のトイレットペーパー４０を支持部１１に支持させた状態において、カバー部１２の裏側から表側にペーパー先端部４０ａを挿通させ易くするために設けられている。
切欠き部１４ｂは、引き出し端部１４ａなどの開口部位よりも大きく（広く）開口して、カバー１２の側方（カバー側方部１２ｂ）からペーパー先端部４０ａを挿入し易い形状に形成されている。
引き出し端部１４ａは、切欠き部１４ｂから延設された引き出し部１４の奥端部になり、例えば、引き出し部１４から引き出されるトイレットペーパー４０が引っ掛かることのないように、滑らかな形状に形成されている。
【００１９】
カバー部１２は、引き出し部１４が設けられている部位からカッター部１５が設けられている部位へ向かって下方へ湾曲し、引き出されたトイレットペーパー４０が当接するガイド部１８を有している。
ホルダー１は、使用者が引き出したトイレットペーパー４０を所望の長さに切り取る場合、引き出したトイレットペーパー４０をカバー部１２の下方へ引っ張り、カッター部１５に当接させて切り取るように構成されている。
カバー部１２は、使用者が引き出したトイレットペーパー４０を下方へ引っ張ると、当該カバー部１２の先端側が下方へ押し下げられる。
即ち、ホルダー１は、引き出されたトイレットペーパー４０をカッター部１５によって切り取る際には、ロール状のトイレットペーパー４０の円周面に回転止め部１６が押し付けられ、当該ロール状のトイレットペーパー４０が回転することを防ぐように構成されている。
【００２０】
ガイド部１８は、所望の長さとなるまでトイレットペーパー４０を引き出すとき、即ち、ホルダー１の前方へペーパー先端部４０ａを引っ張ったときには、当該ガイド部１８に引っ掛かるなどの障害が生じないように、下方へ湾曲形成されている。
また、ガイド部１８は、引き出されたトイレットペーパー４０をカッター部１５で切り取るために、カバー部１２の下方、もしくはホルダー１の下方へ引っ張ったときには、引き出されたトイレットペーパー４０が、当該ガイド部１８に当接することによって千切れないように形成されている。
【００２１】
即ち、ガイド部１８は、引き出し部１４からカッター部１５までの間において、引き出されたトイレットペーパー４０の特定の箇所にストレス等が集中しないように、当該引き出されたトイレットペーパー４０に当接する。
換言すると、ガイド部１８は、ペーパー先端部４０ａ等を、ホルダー１の前方へ引っ張ったときには、当該トイレットペーパー４０を滑らかに引き出すことができ、ホルダー１の下方へ引っ張ったときには、引き出されたトイレットペーパー４０に生じる不要なストレス等が分散するように、例えば曲率を変化させてホルダー１の下方に向かって湾曲している。
【００２２】
引き出されたトイレットペーパー４０をカッター部１５によって切り取るとき、ホルダー１に保持されているロール状のトイレットペーパー４０には、上記の引き出し方向に作用する力と、この力に対抗する反力が作用する。
即ち、引き出されたトイレットペーパー４０がカッター部１５によって切り取られた瞬間、切り取りの反動によってホルダー１に保持されているロール状のトイレットペーパー４０が若干回転し、引き出されていた部分を巻き取ってしまう。
【００２３】
引き出し部１４とカッター部１５との間隔、即ち、ガイド部１８の前後方向の長さ（基端部１７とカッター部１５とを結ぶ方向の長さ）は、上記の反動によって巻き取られるトイレットペーパー４０の長さよりも十分に長く設けられている。
ガイド部１８の長さ（カッター部１５と引き出し部１４との間隔）を上記のように設けることにより、引き出されたトイレットペーパー４０をカッター部１５において切り取った後、ペーパー先端部４０ａがカバー部１２の裏側（ホルダー１の内側）に引き戻されても、カバー部１２の表側に十分な長さのペーパー先端部４０ａが保持され、引き出し部１４からペーパー先端部４０ａが引き出された状態を保つことができる。
なお、ここで説明したカバー部１２は、カバー側方部１２ｂに切欠き部１４ｂを配置し、カバー側方部１２ａに引き出し端部１４ａを配置しているが、図１等において左右逆に配置構成してもよい。
即ち、カバー側方部１２ｂに引き出し端部１４ａを配置し、カバー側方部１２ａに切欠き部１４ｂを配置して構成してもよい。
【００２４】
ホルダー１は、前述のように、支持部１１ならびに芯支持部１３によって、ロール状のトイレットペーパー４０を片持ちするように構成されている。そのため、当該片持ちされたトイレットペーパー４０が芯支持部１３から抜け落ちないように、カバー部１２に側方カバー部２０を備えている。
側方カバー部２０は、例えば、カバー部１２の先端部、もしくはその近傍に設けられ、カバー側方部１２ｂの縁辺部分（カバー部１２の側端）から下方に向かって延設されている。
側方カバー部２０は、支持部１１等に支持されたロール状のトイレットペーパー４０にカバー部１２を被せたとき、芯支持部１３の先端側に配置されて、ロール状のトイレットペーパー４０の一方の（カバー側方部１２ｂの側に配置された）ロール端部（ロール端面）に当接するように形成されている。
【００２５】
具体的には、側方カバー部２０は、例えば、使用者によってペーパー先端部４０ａが引き出され、支持部１１等に支持されているロール状のトイレットペーパー４０のロール径が小さくなると、当該ロール状のトイレットペーパー４０の芯孔部分、もしくはその近傍に当接する大きさ形状に形成されている。
また、側方カバー部２０は、例えば、カバー部１２を上方にはね上げた場合には、新たにロール状のトイレットペーパー４０を芯支持部１３に挿通させる作業の邪魔にならない大きさ形状に形成されており、また、上記作業の邪魔にならない位置に移動する（配置される）ようにカバー部１２の側端に設けられている。
【００２６】
ここで説明したホルダー１は、本体１０の一の側方（カバー側方部１２ａの下方）に支持部１１ならびに芯支持部１３を配置し、本体１０の他の側方（カバー側方部１２ｂの縁辺）に側方カバー部２０が配置されるように構成されているが、これらの部分を図２ならびに図３において左右逆に配置構成してもよい。
即ち、本体１０の一の側方（カバー側方部１２ａの縁辺）に側方カバー部２０を配置し、本体１０の他の側方（カバー側方部１２ｂの下方）に支持部１１ならびに芯支持部１３を配置してもよい。
【００２７】
ホルダー１は、支持部１１を本体１０のいずれか一方の側方に設けて、ロール状のトイレットペーパー４０を片持ちするように構成されているが、２つの支持部１１を本体１０の両側方に各々設け、前述のカバー部１２を備えた構成とすることも可能である。
上記のように２つの支持部１１を備えた場合には、芯支持部１３に替えて、ロール状のトイレットペーパー４０に挿通させる丸棒や丸筒状の芯材を備え、当該芯材の長手方向両端を各々の支持部１１が支持するように構成する。
【００２８】
（実施例２）
図４は、本開示の実施例２によるトイレットペーパーホルダーのカバー部１２の構成を示す斜視図である。
図４のカバー部１２は、図１等に示したガイド部１８（カバー部１２の表面）に、滑り止め部３０を設けたものである。
滑り止め部３０は、引き出し部１４からカバー部１２の表側へ引き出されているペーパー先端部４０ａと接触するように設けられている。
滑り止め部３０は、ペーパー先端部４０ａと接触したときに適度な摩擦抵抗が生じ、当該ペーパー先端部４０ａが、引き出し部１４からカバー部１２の裏側へ引き戻されることを防ぐように、ざらついた表面や、複数の凹凸などが設けられた部分である。
【００２９】
滑り止め部３０は、引き出し部１４からトイレットペーパー４０を引き出す操作（例えば、ホルダー１の前方等へ引っ張る操作）を行っているときには、当該引き出されたトイレットペーパー４０に接触せず、引き出されたトイレットペーパー４０を切り取る操作（ホルダー１の下方等へ引っ張る操作）を行っているとき、また、切り取り操作を行った直後に、当該切り取り操作によって生じるペーパー先端部４０ａ等の部分と接触する位置に設けるとよい。
【符号の説明】
【００３０】
１ホルダー
１０本体
１１支持部
１２カバー部
１２ａ，１２ｂカバー側方部
１３芯支持部
１４引き出し部
１４ａ引き出し端部
１４ｂ切欠き部
１５カッター部
１６回転止め部
１７基端部
１８ガイド部
２０側方カバー部
３０滑り止め部
４０トイレットペーパー
４０ａペーパー先端部
【図１】
0003226428.tif 000003
【図２】
0003226428.tif 000004
【図３】
0003226428.tif 000005
【図４】
0003226428.tif 000006